(57)【要約】【課題】リント捕獲手段への排水ホースの誤接続を防止し、フェイルセーフを実現する。【解決手段】水槽２の排水口２ａから洗濯機外箱１下方の排水接続口２ｂに連通した機内排水ホース５０と、排水接続口２ｂに配管した排水ホース４と、この排水ホース４の先端に接続し、内部にリントを捕獲するリントフィルター１１を配し、側面に入水口７が出水口８より上方に配置したリント捕獲箱６とを備え、排水ホース４は、両端部の排水接続口２ｂおよび入水口７への接続寸法がそれぞれ異なる大きさの径とし、リント捕獲箱６は、入水口７と出水口８の外径寸法を異なる大きさに構成し、かつ、出水口８の外径寸法は、洗濯機外箱１の排水接続口２ｂの外径と同じ寸法に構成したもので、排水ホースの誤接続を防止し、フェイルセーフの安全対策を行うことができる。【選択図】図１
2010057693.tif 000002
【特許請求の範囲】
【請求項１】
洗濯機外箱内に収められた水槽と、前記水槽内に回転可能に設けた洗濯槽と、前記水槽の内底部と前記洗濯機外箱下方の排水接続口に連通した機内排水ホースと、前記排水接続口に一端を配管しもう一方の他端より機外に排水する排水ホースと、前記排水ホースの他端に接続し、蓋体を上方に開閉可能に設け、内部に通水中からリントを捕獲するリントフィルターを配し、側面に入水口が出水口より上方に配置した容器状のリント捕獲箱とを備え、前記排水ホースは、両端部の前記排水接続口および前記入水口への接続寸法がそれぞれ異なる大きさの径とし、前記リント捕獲箱は、前記入水口と前記出水口の外径寸法を異なる大きさに構成し、かつ、前記出水口の外径寸法は、前記洗濯機外箱の前記排水接続口の外径と同じ寸法に構成した洗濯機。
【請求項２】
リント捕獲箱は、出水口の内径寸法を入水口の内径寸法より大きく構成した請求項１に記載の洗濯機。
【請求項３】
リント捕獲箱は、長手方向の側面に、横幅寸法よりも大きい幅で設置足を設けた請求項１〜２のいずれか１項に記載の洗濯機。
【請求項４】
設置足は、ゴム材料等の足キャップを装着した請求項３に記載の洗濯機。
【発明の詳細な説明】
【技術分野】
【０００１】
本発明はリント捕獲手段を備えた洗濯機に関するものである。
【背景技術】
【０００２】
従来、この種の洗濯機は、洗濯、すすぎ、脱水等の運転時に発生するリントを効果的に捕獲する手段を、洗濯機外箱内部に設けることが困難である場合には、洗濯機外箱外方に導出された排水ホース途中にリント捕獲箱を設ける手段が提案されている（例えば、特許文献１参照）。
【０００３】
図７及び図８は、特許文献１に記載された従来の洗濯機を示すものである。
【０００４】
図７の要部構成図に示すように、リント補修箱２８は洗濯機外箱４２の側面側に配置された排水接続口４３に接続した第１の排水ホース４４に入水口３０を接続して洗濯水を流入し、内部でリントを捕獲した後、反対側の出水口３１に接続した第２の排水ホース４５より床面等の排水筒４６に流出させる。
【０００５】
図８の外観図に示すように、リント捕獲箱２８の構成は、上方に開口自在に蓋体３４を配し、内方に格子状の捕獲部４８を有する糸屑捕獲用のリントフィルター４７を両対角線上にリント補修箱２８より着脱可能に配設し、掃除を容易に行えるようにしていた。
【特許文献１】特開２００４−３０５４０４号公報
【発明の開示】
【発明が解決しようとする課題】
【０００６】
しかしながら、前記従来の構成では、リント捕獲箱２８の入水口３０および出水口３１の外径寸法は同じ大きさに構成していることが多く、設置時に第１の排水ホース４４を入水口３０に接続しなければいけないところを、出水口３１に接続してしまうなど誤った設置を招きやすく、その結果、リント捕獲が十分にできなかったり、最悪の場合は、リント捕獲箱２８内の水の流れが滞り、リント捕獲箱２８の内圧が高くなるため水漏れを発生させてしまうなどの課題があった。また、リント捕獲箱２８が安定した状態で設置されず横倒し等の不安定状態になると、リント捕獲機能の低下や水漏れ等の不具合が生じる恐れ等があった。
【０００７】
本発明は、上記従来の課題を解決するもので、排水ホースを接続して設置する時に目視で容易に判別ができ、さらに誤って排水ホースを接続しようとしても挿入できないような構成が可能となり、フェイルセーフの安全対策を行うことができる洗濯機を提供すること、またリント捕獲箱の安定した設置をすることを目的とする。
【課題を解決するための手段】
【０００８】
前記従来の課題を解決するため、本発明の洗濯機は、水槽の内底部と洗濯機外箱下方の排水接続口に連通した機内排水ホースと、前記排水接続口に一端を配管した排水ホースと、この排水ホースの先端に接続し、内部に通水中からリントを捕獲するリントフィルターを配し、側面に入水口が出水口より上方に配置した容器状のリント捕獲箱とを備え、前記排水ホースは、両端部の排水接続口および入水口への接続寸法がそれぞれ異なる大きさの径とし、前記リント捕獲箱は、前記入水口と前記出水口の外径寸法を異なる大きさに構成し、かつ、前記出水口の外径寸法は、前記洗濯機外箱の排水接続口の外径と同じ寸法に構成したものである。これにより、排水ホースを接続して設置する時に目視で容易に判別ができ、さらに誤って排水ホースを接続しようとしても挿入できないような構成が可能とな
り、フェイルセーフの安全対策を高めることができる。
【発明の効果】
【０００９】
本発明の洗濯機は、設置時における排水ホースの誤接続を防止し、フェイルセーフの安全対策を行うことができる。
【発明を実施するための最良の形態】
【００１０】
第１の発明は、洗濯機外箱内に収められた水槽と、前記水槽内に回転可能に設けた洗濯槽と、前記水槽の内底部と前記洗濯機外箱下方の排水接続口に連通した機内排水ホースと、前記排水接続口に一端を配管しもう一方の他端より機外に排水する排水ホースと、前記排水ホースの他端に接続し、蓋体を上方に開閉可能に設け、内部に通水中からリントを捕獲するリントフィルターを配し、側面に入水口が出水口より上方に配置した容器状のリント捕獲箱とを備え、前記排水ホースは、両端部の前記排水接続口および前記入水口への接続寸法がそれぞれ異なる大きさの径とし、前記リント捕獲箱は、前記入水口と前記出水口の外径寸法を異なる大きさに構成し、かつ、前記出水口の外径寸法は、前記洗濯機外箱の前記排水接続口の外径と同じ寸法に構成したことにより、排水ホースを接続して設置する時に目視で容易に判別ができ、さらに誤って排水ホースを接続しようとしても挿入できないような対策が可能となり、フェイルセーフの安全対策も行うことができる。
【００１１】
第２の発明は、特に第１の発明のリント捕獲箱の入水口および出水口は、出水口の内径寸法を入水口の内径寸法より大きく構成したことにより、入水口からリント捕獲箱内に流入する流量よりも多くの流量を排出することが可能となり、リント捕獲箱内部で水の流れが滞ることを防ぎ、スムーズに排出することができる。
【００１２】
第３の発明は、特に第１〜２のいずれか１つの発明のリント捕獲箱は、長手方向の側面に、横幅寸法よりも大きい幅で設置足を設けたことにより、設置時の安定性を確保することができる。
【００１３】
第４の発明は、特に第３の発明の設置足は、ゴム等の足キャップを装着したことにより、さらに安定して設置することが可能となり、また、排水時に本体が揺れ、設置面とで発生する振動音を防止することができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
図１は、本発明の第１の実施の形態における洗濯機の要部構成図、図２は、同洗濯機のリント捕獲箱の外観構成矢視図、図３は、同洗濯機のリント捕獲箱の外観側面図、図４（ａ）は、同洗濯機のリントフィルターの平面図、（ｂ）は横側面図を示し、図５は、リント捕獲箱とリントフィルターの組み立て状態の側面図を示す。
【００１６】
図１において、洗濯機外箱１内部に収められた水槽２と、水槽２内に回転可能に設けた洗濯槽３とを備え、この洗濯槽３内に衣類を投入して洗濯運転を行う。
【００１７】
水槽２内部の洗濯水を機外に排出する構成は、水槽２の排水口２ａから、洗濯機外箱１下方の排水接続口２ｂまで、機内排水ホース５０を配管し、排水接続口２ｂに接続した排水ホース４を介して機外に排出する。
【００１８】
ここで、排水に含まれる異物やリントを除去して排水するために、排水接続口２ｂに排
水ホース４の一端を接続し、排水ホース４の他端をリント捕獲箱６の入水口７に通水可能に接続し、リント捕獲箱６内部で排水の糸屑除去を行った後の排水を出水口８より排出する。
【００１９】
この時、排水ホース４の構成は、排水接続口２ｂに接続する径寸法とリント捕獲箱６の入水口７に接続する径寸法とは、それぞれ異なる大きさに構成している。更に排水接続口２ｂの外径は、出水口８の外径と同寸法に設定する。
【００２０】
リント捕獲箱６は、入水口７と同一面に構成した出水口８に出水側排水ホース１０を接続し、リント捕獲箱６内部でリント、異物等を除去した排水を出水側排水ホース１０から設置床面側の排水口１０ａに排出するように構成し、また内部に溜ったリント等を取り出し排除する作業の為の蓋体５を上部に開閉自在に配する。ここで、同一面に構成した入水口７と出水口８との位置関係は、入水口７が出水口８より上方に配置すると共に、出水口８は、床面２０に近接するように配置する。
【００２１】
また、リント捕獲箱６の蓋体５を開放する操作用の開閉操作機構９は、洗濯機外箱１の前方の使用者操作側１ａ側に構成する。
【００２２】
図２の外観構成図に示すように、リント捕獲箱６は、内部にリント捕獲用のリントフィルター１１を着脱可能に装着し、入水口７と同一側面に出水口８を有し、入水口７および出水口８を構成したリント捕獲箱６上方に蓋体５を開閉自在に軸支する蝶番機構１７を有する。従って、蓋体５を開閉する操作用の開閉操作機構９は、入水口７、出水口８および蝶番機構１７の対面側に配置となる。
【００２３】
図３のリント捕獲箱６の外観側面図に示すように、リント捕獲箱６の側面部に設けた入水口７の外径寸法Ａは出水口８の外径寸法Ｂよりも小さい寸法、即ち、Ａ＜Ｂとなるように構成している。したがって、排水ホース４のリント捕獲箱６に接続する接続部４ａは、出水口８側に間違って配管しようとした場合、相手の径が大きくて挿入不可となりフェイルセーフが機能する。
【００２４】
図４（ａ）の平面図に示すように、リントフィルター１１は、通水中からリントを捕獲する網目部１２と、仕切り壁１４及び、リブ１３で構成され、仕切り壁１４の位置は、網目部１２とリブ１３の間に構成する。
【００２５】
また、図４（ｂ）の横側面図に示すように、網目部１２は、複数の高さを有する段部１２ａ、１２ｂ、１２ｃと、最も高い位置の段部１２ｃより、更に上方の位置の高さ寸法Ｈにリブ１３を構成する。網目部１２、即ち段部１２ａ、１２ｂ、１２ｃには一辺約５ｍｍの格子穴２４を多数設けてリントの捕獲部とする。網目部１２とリブ１３の間を接続する縦壁１８に上部には、リントフィルター１１を、リント捕獲箱６からの着脱用の取っ手となる仕切り壁１４を設けている。
【００２６】
図５の組み立て状態の断面図に示すように、リントフィルター１１はリント捕獲箱６の内壁底部に設けた複数個の凸状リブ１５ａ、１５ｂ、１５ｃに、段部１２ａ、１２ｂ、１２ｃをそれぞれ載せる形でリント捕獲箱６内に収納され、リブ１３の周縁部下面は、リント捕獲箱６の内側壁に形成した側壁リブ１９の上端に載置して位置決めとする。
【００２７】
段部１２ａ、１２ｂ、１２ｃの最も低い高さにある段部１２ａは、リント捕獲箱６の内底部から寸法Ｍの隙間（床面から寸法Ｎ）を形成し通水路２５を構成する。
【００２８】
水の流れは、入水口７から流入した洗濯水は、リントフィルター１１の上方の空間部２
１から、段部１２ａ、１２ｂ、１２ｃの網目および縦壁部２３の水抜き穴２２を通過する際に捕獲され、リントを除去された洗濯水は、出水口８より排出される。
【００２９】
ここで、リント捕獲箱６の出水口８の内径寸法Ｄは、入水口７の内径寸法Ｅより大きい寸法、即ち、Ｅ＜Ｄとなるように構成している。
【００３０】
リントフィルター１１の、網目部１２の最も高い位置の段部１２ｃの先端１１ａの、リント捕獲箱６の設置面２０からの高さＫは、入水口７の内径下面高さａと出水口８の内径上面高さｂとの中間位置、即ち、ａ＞Ｋ＞ｂとなるように構成している。
【００３１】
床面２０に近接するように配置した出水口８の高さ位置は、その内径下面高さｃはできるだけ小さく設定し、かつ、既述の最も低い高さの段部１２ａの床面からの寸法Ｎに対し、ｃ＜Ｎとなるように形成する。
【００３２】
また、取っ手となる仕切り壁１４の先端は、蓋体５に隙間Ｓで近接させ、かつリント補修箱６の上縁部６ａより寸法微小隙間Ｔだけ低く設定する。
【００３３】
以上のように構成された洗濯機のリント捕獲手段について、以下その動作、作用を説明する。
【００３４】
まず、リント捕獲箱６を設置するときに、リント捕獲箱６の入水口７と出水口８、それぞれに排水ホース４および、出水側排水ホース１０の接続を行う。
【００３５】
リント捕獲箱６の入水口７の外径Ａと出水口８の外径Ｂは、図３で示したように異なる外径（Ａ＜Ｂ）に設定しているので、排水ホース４のリント捕獲箱６側への装着では、入水口７と出水口８とを間違えてしまうという誤配管を防止できる。
【００３６】
また、出水口８の外径寸法Ｂは、外箱１より機外に導出される排水接続口２ｂに接続する部分と同じ寸法であるため、接続に必要な排水ホース４と出水側排水ホース１０は同一部品で構成が可能となりコストダウンや共用化を行うことができる。
【００３７】
また、リント捕獲箱６の入水口７および出水口８の寸法構成は、出水口８の内径寸法Ｄを入水口７の内径寸法Ｅより大きくしたことにより、入水口７からリント捕獲箱６内に流入する流量よりも、流路の断面積が大きい出水口８から多くの流量を排出することが可能となり、リント捕獲箱６内部で水の流れが滞ることを防ぎ、スムーズに排出することもできる。
【００３８】
（実施の形態２）
図６（ａ）は、本発明の第２の実施の形態におけるリント捕獲箱の外観側面図、（ｂ）は正面図である。
【００３９】
図６（ａ）に示すように、リント捕獲箱６の長手方向の側面２６の下方前後に設置足２７を配置する。（ｂ）正面図に示すように、設置足２７は、リント捕獲箱の横幅寸法Ｆよりも大きい幅Ｇ、即ちＦ＜Ｇとなる構成で左右側面の下方に設けている。
【００４０】
これにより、本体の重心位置と転倒（横転）するときに支点となる水平方向の距離が大きく離れるため、倒れ難くなると共に設置時の安定性を向上することができる。
【００４１】
また、設置足２７に緩衝兼すべり防止用としてゴム材料の別部品としての足キャップ４９を装着して、排水時にリント捕獲箱６が揺れ、振動した場合に床面２０とで振動音が発
生するのを防止し、床面との摩擦力によりすべり止めの効果で、安定した設置することができる。別部品の足キャップ４９はフェルト材やパッキングなどで構成しても同様の効果を得ることができる。
【００４２】
なお、本実施の形態で説明した、リント捕獲箱６の同一側面に入水口７と出水口８を有する等は単なる例示にすぎず、同一側面になくても特許請求の範囲の技術思想に基づいて本発明に包含されるものである。
【００４３】
以上のように、本発明にかかる洗濯機は、リント除去の作業性を大幅に向上させ、リントフィルターの目詰まりによる不具合を防止することが可能となるので、リント捕獲手段を備えた洗濯機等として有用である。
【産業上の利用可能性】
【００４４】
以上のように、本発明にかかる洗濯機は、設置時における排水ホースの誤接続を防止し、フェイルセールの安全対策も行うことが可能となるので、リント捕獲手段を備えた洗濯機等として有用である。
【図面の簡単な説明】
【００４５】
【図１】本発明の実施の形態１における洗濯機の要部構成図
【図２】同洗濯機のリント捕獲箱の外観構成矢視図
【図３】同洗濯機のリント捕獲箱の外観側面図
【図４】（ａ）同洗濯機のリントフィルターの平面図（ｂ）同洗濯機のリントフィルターの横側面図
【図５】同洗濯機のリント捕獲箱とリントフィルターの組み立て状態の側面図
【図６】（ａ）本発明の実施の形態２におけるリント捕獲箱の外観側面図（ｂ）同リント捕獲箱の正面図
【図７】従来の洗濯機の要部構成図
【図８】従来の洗濯機のリント捕獲箱外観図
【符号の説明】
【００４６】
１  洗濯機外箱
２  水槽
２ａ  排水口
２ｂ  排水接続口
３  洗濯槽
４  排水ホース
５  蓋体
６  リント捕獲箱
７  入水口
８  出水口
１０  出水側排水ホース
１１  リントフィルター
１５ａ、１５ｂ、１５ｃ  凸状リブ
２７  設置足
４９  足キャップ
５０  機内排水ホース
【図１】
2010057693.tif 000003
【図２】
2010057693.tif 000004
【図４】
2010057693.tif 000005
【図５】
2010057693.tif 000006
【図７】
2010057693.tif 000007
【図８】
2010057693.tif 000008
【図３】
2010057693.tif 000009
【図６】
2010057693.tif 000010